(57)【特許請求の範囲】
【請求項１】
冷凍保冷剤と、上側シートと、上側シートの下部に冷凍保冷剤の収容部を構成するための下側シートを密着接続するとともに冷凍保冷剤の出し入れ部を有し、上側シートの上部に上側放熱防止空間を構成する為の上側追加シートを密着接続し、上側追加シートの上部に保冷具側固定補助材を設けた保冷具及び保冷具側固定補助材に固着する衣服側固定補助材を設けた衣服から構成され、衣服側固定補助材は開口部を有する袋形状部であり、保冷具側固定補助材は袋形状部に引っ掛ける形状の係止部であり、冷凍保冷剤の温度上昇を防止しつつ、保冷具を簡易に衣服に装着することを特徴とするクールビズ対応の保冷具及び衣服。
【請求項２】
上側放熱防止空間に断熱材を挿入したことを特徴とする、請求項１記載のクールビズ対応の保冷具及び衣服。
【請求項３】
下側シートの下部に下側放熱防止空間を構成する為の下側追加シートを密着接続したことを特徴とする、請求項１または２に記載のクールビズ対応の保冷具及び衣服。
【発明の詳細な説明】
【技術分野】
【０００１】
本発明は、クールビズ対応の衣服の内側に簡易に取り付ける保冷具である。
【背景技術】
【０００２】
従来の保冷具には例えば、袋に保冷剤を充填密閉した保冷剤充填部を上側シートと下側シートの端を密着接続して包み込んだ保冷具において、下側シートの下部に冷凍保冷剤の収納部を構成する為の追加シートを密着接続し、冷凍保冷剤の出し入れ部を有し、追加シートの上下部に上下側放熱防止空間を構成するための上下側放熱防止カバーを密着接続し、上下側放熱防止空間に断熱材を挿入し、上側放熱防止カバーに開口部を設け、開口部の縁を上側シートに密着接続したことを特徴としたものがある（例えば、特許文献１参照）。
【先行技術文献】
【特許文献】
【０００３】
【特許文献１】特許第５３８７９３１号公報
【発明の概要】
【発明が解決しようとする課題】
【０００４】
現在、地球温暖化防止のためにクールビズが叫ばれており、いろいろ対策が取られているが、年々猛暑が続き、クールビズにプラスして、猛暑を凌ぐ行動を取る必要に迫られている。
【課題を解決するための手段】
【０００５】
前記課題を解決するために、本発明に係るクールビズ対応の保冷具及び衣服は以下の手段を有する。
【０００６】
第１の手段として、冷凍保冷剤と、上側シートと、上側シートの下部に冷凍保冷剤の収容部を構成するための下側シートを密着接続するとともに冷凍保冷剤の出し入れ部を有し、固定補助材を設けた保冷具または／及び固定補助材を設けた衣服から構成されることを特徴とする。
【０００７】
第２の手段として、保冷具に設けた保冷具側固定補助材と、この保冷具側固定補助材に固着する衣服に設けた衣服側固定補助材がセットであることを特徴とする。
【０００８】
第３の手段として、セットが複数であることを特徴とする。
【０００９】
第４の手段として、セットが連結されていることを特徴とする。
【００１０】
第５の手段として、衣服に設けた衣服側固定補助材が開口部を有する袋形状部であることを特徴とする。
【００１１】
第６の手段として、上側シートの上部に上側放熱防止空間を構成する為の上側追加シートを密着接続したことを特徴とする。
【００１２】
第７の手段として、上側放熱防止空間に断熱材を挿入したことを特徴とする。
【００１３】
第８の手段として、下側シートの下部に下側放熱防止空間を構成する為の下側追加シートを密着接続したことを特徴とする。
【発明の効果】
【００１４】
本発明の請求項１によれば、冷凍保冷剤と、上側シートと、上側シートの下部に冷凍保冷剤の収容部を構成するための下側シートを密着接続するとともに冷凍保冷剤の出し入れ部を有し、固定補助材を設けた保冷具または／及び固定補助材を設けた衣服から構成されることにより、一般に出回っている何種類もの小容量冷凍保冷剤を活用して、用途に見合ったその必要なだけを、家庭のあるいは外出先の冷凍庫を利用して冷凍し、保冷具に冷凍保冷剤の出し入れ部から挿入して、簡易に衣服に装着することにより、クールビズプラスアルファーとしての実現を可能とし、快適時間を過ごすことが出来る。
【００１５】
本発明によれば、保冷具の使用中に予備の冷凍保冷剤を持参していれば、冷凍保冷剤の出し入れ部により僅かな時間で衣服下の冷凍保冷剤の追加又は交換を行え、クールビズプラスアルファーを継続して過ごすことが出来る。
【００１６】
本発明の請求項２によれば、保冷具に設けた保冷具側固定補助材と、この保冷具側固定補助材に固着する衣服に設けた衣服側固定補助材がセットであることにより、保冷具を確実に衣服に装着することができ、衣服下におけるクールビズプラスアルファーを継続して過ごすことが出来る。
請求項３によれば、セットが複数であることにより、請求項２よりも保冷具をより確実に衣服に装着することができ、更に衣服下におけるクールビズプラスアルファーを継続して過ごすことが出来る。
【００１７】
本発明の請求項４によれば、セットの複数が縦方向、横方向等の広い範囲に連結されていることにより更に、衣服下におけるクールビズプラスアルファーを継続して過ごすことが出来る。
【００１８】
本発明の請求項５によれば、衣服に設けた衣服側固定補助材が開口部を有する袋形状部であることにより、保冷具側固定補助材を設けなくても保冷具を衣服に簡単に装着することができるため、衣服下におけるクールビズプラスアルファーを継続して過ごすことが出来る。
【００１９】
本発明の請求項６によれば、上側放熱防止空間により冷凍保冷剤の温度上昇を防止できる。
【００２０】
本発明の請求項７によれば、請求項６よりも断熱材により更に冷凍保冷剤の温度上昇を防止できるため、保冷具の冷却機能の低下を妨げられる。
【００２１】
本発明の請求項８によれば、下側放熱防止空間により冷凍保冷剤の温度上昇を防止できるため、保冷具の冷却機能の低下を妨げられる。
【図面の簡単な説明】
【００２２】
【図１】本発明の請求項１から３に係るクールビズ対応の保冷具及び衣服であり、保冷具を表す断面図である。
【図２】本発明の請求項１から３に係るクールビズ対応の保冷具及び衣服であり、保冷具を表す斜視図である。
【図３】本発明の請求項１から３に係るクールビズ対応の保冷具及び衣服であり、図１及び２の保冷具を衣服に装着した状態を表す図である。
【図４】本発明の請求項１から３に係るクールビズ対応の保冷具及び衣服であり、保冷具の別の実施形態を表す斜視図である。
【図５】本発明の請求項１から３に係るクールビズ対応の保冷具及び衣服であり、図４の保冷具を衣服に装着した状態を表す図である。
【図６】本発明の請求項１から３に係るクールビズ対応の保冷具及び衣服であり、保冷具の更に別の実施形態を表す斜視図である。
【図７】本発明の請求項１及び２に係るクールビズ対応の保冷具及び衣服であり、保冷具の更に別の実施形態を表す斜視図である。
【図８】本発明の請求項１から３に係るクールビズ対応の保冷具及び衣服であり、図６及び７の保冷具を衣服に装着した状態を表す図である。
【図９】本発明の請求項４に係るクールビズ対応の保冷具及び衣服であり、保冷具を衣服に装着した状態を表す図である。
【図１０】本発明の請求項１及び５に係るクールビズ対応の保冷具及び衣服であり、保冷具を衣服に装着した状態を表す図である。
【図１１】本発明の請求項６に係るクールビズ対応の保冷具及び衣服であり、保冷具を表す断面図である。
【図１２】本発明の請求項７に係るクールビズ対応の保冷具及び衣服であり、保冷具を表す断面図である。
【図１３】本発明の請求項８に係るクールビズ対応の保冷具及び衣服であり、保冷具を表す断面図である。
【発明を実施するための形態】
【００２３】
以下、本発明の実施の形態を図１〜１３に基づいて説明する。なお本記載は特許請求の範囲を示した例であり、特許請求の範囲を本記載に限定することを意味するものではない。
【００２４】
請求項１、２、３に係る発明を図１、２、３を用いて説明する。保冷具１は冷凍保冷剤２と、上側シート３と、上側シート３の下部に冷凍保冷剤の収容部６を構成するための下側シート４をヒートシール５により密着接続するとともに冷凍保冷剤の出し入れ部７を有し、保冷具側固定補助材２１としてマジックテープ（登録商標）２１ａを設けている。衣服１００は衣服側固定補助材１０１として、マジックテープ（登録商標）２１ａに固着するマジックテープ（登録商標）１０１ａを設けている。
マジックテープ（登録商標）２１ａ及び１０１ａを設ける数は、１個でも複数（２個以上）でもよい。
保冷具側固定補助材２１と衣服側固定補助材１０１により、保冷具１を衣服１００に装着することができる。
請求項１に係る発明は上記のように、保冷具側固定補助材２１を設けた保冷具１と衣服側固定補助材１０１を設けた衣服１００から構成される。
請求項１に係る発明はこの他に、衣服側固定補助材１０１を設けた衣服１００のみからなる場合もある。これは請求項５に係る発明にて後述する。
上記から請求項１に係る発明によれば、一般に出回っている何種類もの小容量冷凍保冷剤２を活用して、用途に見合ったその必要なだけを、家庭のあるいは外出先の冷凍庫を利用して冷凍し、保冷具１に冷凍保冷剤の出し入れ部７から挿入して、簡易に衣服１００に装着することにより、クールビズプラスアルファーとしての実現を可能とし、快適時間を過ごすことが出来る。
また、保冷具１の使用中に予備の冷凍保冷剤２を持参していれば、冷凍保冷剤の出し入れ部７により僅かな時間で衣服下の冷凍保冷剤２の追加又は交換を行え、クールビズプラスアルファーを継続して過ごすことが出来る。
【００２５】
請求項２に係る発明は前記のマジックテープ（登録商標）２１ａ及び１０１ａのように、保冷具側固定補助材２１と、保冷具側固定補助材２１に固着する衣服側固定補助材１０１がセットであることを特徴とする。この保冷具側固定補助材２１と、保冷具側固定補助材２１に固着する衣服１００に設けた衣服側固定補助材１０１がセットであることにより、保冷具１を衣服１００に確実に装着することができ、衣服下におけるクールビズプラスアルファーを継続して過ごすことが出来る。
【００２６】
請求項３に係る発明は前記のように、保冷具側固定補助材２１と、保冷具側固定補助材２１に固着する衣服側固定補助材１０１のセットが複数（２個以上）であることを特徴とする。このセットが複数であることにより、請求項２に係る発明よりも保冷具１をより確実に衣服１００に装着することができ、更に衣服下におけるクールビズプラスアルファーを継続して過ごすことが出来る。
【００２７】
本発明の請求項４に係る発明を図９を用いて説明する。
請求項４に係る発明は図９に示すように、保冷具側固定補助材２１と、保冷具側固定補助材２１に固着する衣服側固定補助材１０１のセットが連結されていることを特徴とする。このセットが連結されていることにより、保冷具１を衣服１の広い範囲に装着することができ、更に衣服下におけるクールビズプラスアルファーを継続して過ごすことが出来る。
【００２８】
本発明の請求項１、２、３に係る発明の別の実施形態を図４、５を用いて説明する。
保冷具側固定補助材２１としてファスナー２１ｂを、衣服側固定補助材１０１としてファスナー２１ｂに固着するファスナー１０１ｂを設けている。ファスナー２１ｂを挿入側、ファスナー１０１ｂをスライダー側とするのが通常であるが、挿入側とスライダー側を逆にしてもよい。作用及び効果は段落番号００２４〜００２６の記載と同様である。
【００２９】
本発明の請求項１、２、３に係る発明の更に別の実施形態を図６、８を用いて説明する。
保冷具側固定補助材２１として凸又は凹ボタン２点吊２１ｃを、衣服側固定補助材１０１として凸又は凹ボタン２点吊２１ｃに固着する凸又は凹ボタン２点吊１０１ｃを設けている。保冷具側固定補助材２１と衣服側固定補助材１０１が２点吊の凸ボタンと凹ボタンの組み合わせになっていればよい。作用及び効果は段落番号００２４〜００２６の記載と同様である。またボタンを２点吊でなく３点吊以上とすることで、保冷具１を衣服１００により確実に装着することができる。
【００３０】
本発明の請求項１、２に係る発明の更に別の実施形態を図７、８を用いて説明する。
この実施形態は図６に示した凸又は凹ボタンを１点吊とした場合であり、保冷具側固定補助材２１として凸又は凹ボタン１点吊２１ｄを、衣服側固定補助材１０１として凸又は凹ボタン１点吊２１ｄに固着する凸又は凹ボタン１点吊１０１ｄを設けている。作用及び効果は段落番号００２４、００２５の記載と同様である。１点吊ではあるが、保冷具１を衣服１００に装着することができる。
【００３１】
本発明の請求項５に係る発明を図１０を用いて説明する。
請求項５に係る発明は図１０に示すように、衣服側固定補助材１０１がポケット１０１ｅのような開口部を有する袋形状部であることを特徴とする。
衣服側固定補助材１０１がポケット１０１ｅのような開口部を有する袋形状部であることにより、保冷具側固定補助材２１を設けなくても保冷具１を衣服１００に簡単に装着することができる。
これは段落番号００２４に記載した、請求項１に係る発明が衣服側固定補助材１０１を設けた衣服１００のみからなる場合もあることを示している。請求項５は、請求項１に係る発明のうち衣服側固定補助材１０１を設けた衣服１００のみからなる場合において、衣服側固定補助材１０１の具体的構造が、ポケット１０１ｅのような開口部を有する袋形状部である場合を示している。
ポケット１０１ｅのような開口部を有する袋形状部である衣服側固定補助材１０１を複数（２個以上）設けてもよい。
また保冷具１には保冷具側固定補助材２１でなく、ポケット１０１ｅのような開口部を有する袋形状部に引っ掛ける形状の係止部（図示せず）を設けていれば、より確実に衣服１００に簡単に装着することができる。
このように衣服側固定補助材１０１をポケット１０１ｅのような開口部を有する袋形状部とすることで、保冷具側固定補助材２１を設けなくても保冷具１を衣服１００に簡単に装着することができるため、衣服下におけるクールビズプラスアルファーを継続して過ごすことが出来る。
【００３２】
本発明の請求項６に係る発明を図１１を用いて説明する。
図１１は前記上側シート３の上部に上側放熱防止空間９を有する為の上側追加シート８をヒートシール５により密着接続した構造を示す。請求項６に係る発明によれば上側放熱防止空間９により冷凍保冷剤２の温度上昇を防止できるため、保冷具１の冷却機能の低下を妨げられる効果を有する。
【００３３】
本発明の請求項７に係る発明を図１２を用いて説明する。
図１２は前記上側放熱防止空間９に断熱材１０を挿入した構造を示す。請求項７に係る発明によれば請求項６に係る発明よりも断熱材１０により冷凍保冷剤２の温度上昇を防止できるため、保冷具１の冷却機能の低下を更に妨げられる効果を有する。
【００３４】
本発明の請求項８に係る発明を図１３を用いて説明する。
図１３は前記下側シート４の下部に下側放熱防止空間１２を有する為の下側追加シート１１をヒートシール５により密着接続した構造を示す。請求項８に係る発明によれば下側放熱防止空間１２により冷凍保冷剤２の温度上昇を防止できるため、保冷具１の冷却機能の低下を妨げられる効果を有する。
【符号の説明】
【００３５】
１        保冷具
２        冷凍保冷剤
３        上側シート
４        下側シート
５        ヒートシール
６        冷凍保冷剤の収容部
７        冷凍保冷剤の出し入れ部
８        上側追加シート
９        上側放熱防止空間
１０      断熱材
１１      下側追加シート
１２      下側放熱防止空間
２１      保冷具側固定補助材
２１ａ    保冷具側固定補助材（マジックテープ）（登録商標）
２１ｂ    保冷具側固定補助材（ファスナー挿入側又はスライダー側）
２１ｃ    保冷具側固定補助材（凸又は凹ボタン２点吊）
２１ｄ    保冷具側固定補助材（凸又は凹ボタン１点吊）
１００    保冷具装着衣服
１０１    衣服側固定補助材
１０１ａ  衣服側固定補助材（マジックテープ）（登録商標）
１０１ｂ  衣服側固定補助材（ファスナー挿入側又はスライダー側）
１０１ｃ  衣服側固定補助材（凸又は凹ボタン２点吊）
１０１ｄ  衣服側固定補助材（凸又は凹ボタン１点吊）
１０１ｅ  衣服側ポケット
【要約】
【課題】夏場はクールビズで過ごすことは常識となってきつつあるが、それでもクールビズプラスアルファーがあれば更にすごしやすいと思う人が大多数である。そのような人々への環境面からのプラスアルファーの加護が必要である。
【解決手段】  クールビズの衣服の下に容姿にあまり影響を及ぼさない程度の保冷具を身につけて歩けたなら、この猛暑は容易に乗り切ることが出来る事を念じて、保冷具側に各種の固定補助材の取り付けと、衣服内側にも保冷具固定補助材に見合う固定補助材を取付け保冷具を衣服内側にて装着可能とすることを特徴とし、簡易にクールビズプラスアルファーを達成したもの。
【選択図】図１【図１】
0005995027.tif 000002
【図２】
0005995027.tif 000003
【図３】
0005995027.tif 000004
【図４】
0005995027.tif 000005
【図５】
0005995027.tif 000006
【図６】
0005995027.tif 000007
【図７】
0005995027.tif 000008
【図８】
0005995027.tif 000009
【図９】
0005995027.tif 000010
【図１０】
0005995027.tif 000011
【図１１】
0005995027.tif 000012
【図１２】
0005995027.tif 000013
【図１３】
0005995027.tif 000014